(57)【要約】【課題】複数の照明装置を直列に接続する際に、照明装置の設置作業を容易にする照明制御システム、照明装置および照明制御方法を提供すること。【解決手段】実施形態に係る照明制御システムは、ＤＭＸ信号を用いて照明装置を制御する照明制御装置と、照明制御装置に接続された第１照明装置と、当該第１照明装置と接続された第２照明装置とを有する。照明制御装置は、ＤＭＸ５１２に沿った制御信号を第１照明装置に出力する。また、第１照明装置は、第１照明部、変換部、および出力部を有する。また、第２照明装置は、第２照明部を有する。第１照明部は、照明制御装置から受信したＤＭＸ信号に従い、任意の位置を照明する。変換部は、照明制御装置が出力したＤＭＸ信号をＰＷＭ信号に変換する。出力部は、ＰＷＭ信号を第２照明装置に出力する。第２照明部は、第１照明装置が出力したＰＷＭ信号に従い、任意の位置を照明する。【選択図】図２
2016181454.tif 000002
【特許請求の範囲】
【請求項１】
照明制御装置と、前記照明制御装置に接続された第１照明装置と、当該第１照明装置に接続された第２照明装置とを有し、
前記照明制御装置は、ＤＭＸ５１２に沿った制御信号を前記第１照明装置に出力し；
前記第１照明装置は、
前記制御信号に従って、任意の位置を照明する第１照明部と；
前記制御信号を、ＰＷＭ信号に変換する変換部と；
前記ＰＷＭ信号を、前記第２照明装置に出力する出力部と；
を具備し、
前記第２照明装置は、
前記第１照明装置が出力したＰＷＭ信号に従い、任意の位置を照明する第２照明部；
を具備する
ことを特徴とする照明制御システム。
【請求項２】
前記照明制御システムは、複数の第２照明装置を有し；
前記複数の第２照明装置は、前記第１照明装置から直列に接続され；
前記第２照明装置は、
前記第１照明装置が出力したＰＷＭ信号を他の第２照明装置へと伝達する伝達部；  
を具備することを特徴とする請求項１に記載の照明制御システム。
【請求項３】
前記第１照明装置は、
電源装置から供給された電力を前記第２照明装置に伝達する第１電力伝達部；
を有し、
前記第２照明装置は、
前記第１照明装置から伝達された電力を他の第２照明装置へと伝達する第２電力伝達部；
を具備することを特徴とする請求項２に記載の照明制御システム。
【請求項４】
照明制御装置から受信したＤＭＸ５１２に沿った制御信号に従い、任意の位置を照明する照明部と；
前記制御信号をＰＷＭ信号に変換する変換部と；
前記ＰＷＭ信号を、ＰＷＭ信号に従って照明を行う他の照明装置に出力する出力部と；
を具備することを特徴とする照明装置。
【請求項５】
照明制御装置に接続された照明装置が実行する照明制御方法であって、
前記照明制御装置から受信したＤＭＸ５１２に沿った制御信号に従い、任意の位置を照明する照明ステップと；
前記制御信号をＰＷＭ信号に変換する変換ステップと；
前記ＰＷＭ信号を、ＰＷＭ信号に従って照明を行う他の照明装置に出力する出力ステップと；
を含むことを特徴とする照明制御方法。
【発明の詳細な説明】
【技術分野】
【０００１】
本発明の実施形態は、照明制御システム、照明装置および照明制御方法に関する。
【背景技術】
【０００２】
従来、スタジオや舞台等では、複数の照明装置により照明演出がなされている。そして、各照明装置側に設定される制御アドレスを用いて、照明制御装置が各照明装置の照度や照明する光の色彩等を遠隔制御する照明制御システムが導入されている。
【０００３】
このような照明制御システムに、ＤＭＸ５１２（以下、ＤＭＸと記載する。）と呼ばれる規格に沿って、各照明装置を制御する照明制御システムが知られている。このようなＤＭＸ規格に沿って照明装置を制御する照明制御システムでは、照明制御装置から複数の照明装置を直列に接続し、照明制御装置が出力した制御信号を各照明装置が後段の照明装置へと順次伝達することで、各照明装置の制御を行うことが可能である。
【０００４】
しかしながら、上述した従来技術では、ＤＭＸ規格の仕様上、３２台以上の照明装置を直列に接続することができず、３２台以上の照明装置を直列に接続する場合は、バッファやスプリッタ等を途中に設置するため、照明装置の設置作業に手間がかかるという問題があった。
【先行技術文献】
【特許文献】
【０００５】
【特許文献１】特開２０１４−１３７９４９号公報
【発明の概要】
【発明が解決しようとする課題】
【０００６】
本発明が解決しようとする課題は、複数の照明装置を直列に接続する際に、照明装置の設置作業を容易にする照明制御システム、照明装置および照明制御方法を提供することである。
【課題を解決するための手段】
【０００７】
実施形態の一例に係る照明制御システムは、ＤＭＸ信号を用いて照明装置を制御する照明制御装置と、照明制御装置に接続された第１照明装置と、当該第１照明装置と接続された第２照明装置とを有する。照明制御装置は、ＤＭＸ５１２に沿った制御信号を第１照明装置に出力する。また、第１照明装置は、第１照明部、変換部、および出力部を有する。また、第２照明装置は、第２照明部を有する。第１照明部は、照明制御装置から受信したＤＭＸ信号に従い、任意の位置を照明する。変換部は、照明制御装置が出力したＤＭＸ信号をＰＷＭ信号に変換する。出力部は、ＰＷＭ信号を第２照明装置に出力する。第２照明部は、第１照明装置が出力したＰＷＭ信号に従い、任意の位置を照明する。
【発明の効果】
【０００８】
実施形態の一例に係る照明制御システム、照明装置および照明制御方法によれば、複数の照明装置を直列に接続する際に、信号を増幅する装置の設置を不要にできる。
【図面の簡単な説明】
【０００９】
【図１】図１は、実施形態に係る照明制御システムの構成の一例を示すブロック図である。
【図２】図２は、実施形態に係る各装置の機能構成の一例を示すブロック図である。
【図３】図３は、制御信号をＰＷＭ信号に変換して出力する照明機器の外形の一例を説明する図である。
【図４】図４は、ＰＷＭ信号に従って照明を制御する照明機器の外形の一例を説明する図である。
【図５】図５は、実施形態に係る照明制御システムにおいて、制御信号をＰＷＭ信号に変換する照明機器が実行する処理の一例を示すフローチャートである。
【発明を実施するための形態】
【００１０】
以下、図面を参照して、実施形態に係る照明制御システム、照明装置および照明制御方法を説明する。実施形態において同一の機能を有する構成には同一の符号を付し、重複する説明は省略する。なお、以下の実施形態で説明する照明制御システム、照明装置および照明制御方法は、一例を示すに過ぎず、実施形態を限定するものではない。例えば、以下の実施形態では、照明制御システムは、照明装置以外にも、任意の舞台装置の制御にも適用することができる。なお、以下の各実施形態は、矛盾しない範囲内で適宜組みあわせてもよい。
【００１１】
以下の実施形態に係る照明制御システム１は、照明制御装置３０と、照明装置（第１照明機器）２０と、照明装置２０と接続された照明装置（第２照明機器）１０を有する。また、照明制御装置３０は、ＤＭＸ５１２に沿った制御信号を照明装置２０に出力する。照明装置２０は、任意の位置を照明する照明部（例えば、光源部２５）と、制御信号をＰＷＭ信号に変換する変換部２２と、ＰＷＭ信号を照明機器１０に出力する出力部２３とを有する。また、照明機器１０は、ＰＷＭ信号に従って、照明を行う照明部（例えば、光源部１３）を有する。
【００１２】
また、照明制御システム１は、照明装置２０から直列に接続された複数の照明装置１０（例えば、１０−１〜１０−ｎ）を有する。そして、照明装置１０は、ＰＷＭ信号を他の照明装置１０へと伝達する伝達部（例えば、伝達部１４）を有する。
【００１３】
また、照明制御システム１は、照明機器２０が電源装置から供給された電力を照明装置１０に伝達する第１電力伝達部（例えば、コンセント２８）を有し、照明装置１０が、照明装置２０から伝達された電力を他の照明装置１０へと伝達する第２電力伝達部（例えば、コンセント１７）を有する。
【００１４】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ：第２照明機器）、照明機器２０（第１照明機器）及び照明制御装置３０を有する。なお、照明制御システム１に接続される照明機器１０および照明機器２０の種別や数などは任意に設定できる。
【００１５】
照明制御システム１において、照明機器１０は、ＰＷＭ（Pulse  Width  Modulation）信号が示す制御内容に基づいて、照明を行う照明装置であり、例えば、ＬＥＤ（Light  Emitting  Diodes）等の半導体発光素子が出力する光の照度や色彩等をＰＷＭ信号が示す制御内容に従って変化させることで、スタジオや舞台等の照明演出を行う。なお、具体例を挙げるならば、照明機器１０は、舞台の床や天井に設置され、舞台における背景色の演出を行うホリゾントライト等の照明機器であるが、スポットライトやフラッドライト等であってもよい。
【００１６】
また、照明制御システム１において、照明機器２０は、ＤＭＸ規格に従った通信プロトコルや、ＤＭＸを拡張したＲＤＭ（Remote  Device  Management）規格に沿った通信方式により、照明制御装置３０と双方向通信が可能であり、直接若しくは通信を中継する伝送装置を介して照明制御装置３０と接続される。また、照明機器２０は、ＬＥＤ等の半導体発光素子を有し、制御信号に従って、照度、範囲、色彩、照明する位置等を変化させることで、スタジオや舞台等の照明演出を行う照明装置である。
【００１７】
照明制御装置３０は、オペレータから照明機器２０に対する操作指令を受付けると、照明機器２０に設定された制御アドレスを含む制御信号を生成して照明機器２０に出力する。例えば、照明機器２０には、照明機器２０を制御するための制御アドレスが予め設定されている。かかる場合、照明制御装置３０は、照明機器２０の制御アドレスと、照明の制御内容とを示すＤＭＸ規格に沿った制御信号を出力する。一方、照明機器２０は、自身に設定された制御アドレスとを示す制御信号を受信した場合は、かかる制御信号が示す制御内容に沿って、照明態様を変更する。
【００１８】
ここで、図１に示す例では、各照明機器１０−１〜１０−ｎは、照明機器２０から直列に接続されており、照明機器２０が出力する信号を照明機器１０−１から照明機器１０−ｎへと順に伝達するとともに、かかる信号に従って照明演出を行う。なお、以下の説明では、ある照明機器１０と接続された２つの照明機器１０のうち、信号の伝達元となる照明機器１０を前段の照明機器１０と記載し、制御信号の伝達先となる照明機器１０を後段の照明機器１０と記載する。例えば、照明機器１０−１は、照明機器１０−２の前段の照明機器であり、照明機器１０−３は、照明機器１０−２の後段の照明機器である。
【００１９】
（実施形態に係る照明制御システムが実行する設定処理）
ここで、ＤＭＸ規格やＲＤＭ規格に沿った通信方式では、複数の照明機器を直列に接続し、各照明機器に制御信号を順次伝達させる接続態様、すなわち直列もしくはデイジーチェーンによる接続態様が認められている。しかしながら、各照明機器が制御信号を順次伝達する場合には、抵抗により信号が減衰したり、ＤＭＸ規格やＲＤＭ規格に沿った通信を行うＩＣ（Integrated  Circuit）等の電子部品による制約のため、直列に接続可能な照明機器の台数が３２台に制限されている。
【００２０】
このため、従来は、３２台以上の照明機器を接続する場合は、接続経路の途中にバッファやスプリッタ等を設置して制御信号を増幅していた。しかしながら、かかる手法ではバッファやスプリッタ等を設置する手間や配線の手間が増えてしまう。また、ＲＤＭ規格では、照明制御装置と照明機器とが双方向通信を行うことができるものの、ＲＤＭ規格に対応したバッファやスプリッタ等を準備しなければならない。また、直列に接続可能な照明機器の台数がＤＭＸ規格よりも多い規格で照明機器の制御を行う場合は、かかる規格に沿った照明制御装置や照明機器を新たに準備する必要がある。
【００２１】
そこで、本願に係る照明制御システム１は、以下の構成を有する。例えば、照明制御システム１は、照明機器１０、２０を制御する照明制御装置３０と、照明制御装置３０に接続された照明機器２０と、照明機器２０に接続された照明機器であって、照明機器２０とは個別の照明機器１０とを有する。照明制御装置３０は、ＤＭＸ規格に沿った制御信号を照明機器２０に出力する。
【００２２】
一方、照明機器２０は、制御信号に従って、任意の位置を照明するとともに、受信した制御信号を、ＰＷＭ信号に変換し、変換後のＰＷＭ信号を照明機器１０に出力する。また、照明機器１０は、受信したＰＷＭ信号を後段の照明機器１０に伝達するとともに、受信したＰＷＭ信号に従って、任意の位置を照明する。
【００２３】
（実施形態に係る各装置の機能構成）
以下、図２を用いて、実施形態に係る照明機器１０および照明機器２０の機能構成の一例を説明する。図２は、実施形態に係る各装置の機能構成の一例を示すブロック図である。なお、以下の説明では、照明機器１０−２〜１０−ｎは、照明機器１０−１と同様の構成および機能を発揮するものとして、説明を省略する。
【００２４】
まず、照明機器１０−１の構成について説明する。実施形態に係る照明機器１０−１は、受信部１１、制御部１２、光源部１３、伝達部１４を有する。
【００２５】
受信部１１は、照明機器２０が出力するＰＷＭ信号を受信する受信部であり、例えば、ＰＷＭ信号を伝達する信号ケーブルを接続する、いわゆる渡りコネクタ（以下、単にコネクタと記載する）である。受信部１１は、照明機器２０からＰＷＭ信号を受信すると、受信したＰＷＭ信号を制御部１２と伝達部１４とに出力する。なお、照明機器１０−１は、照明機器２０と直列に接続される照明機器１０−１〜１０−ｎのうち、最も前段に配置される照明機器であるため、ＰＷＭ信号を照明機器２０から受信するが、他の照明機器１０−２〜１０−ｎは、前段に配置された照明機器１０からＰＷＭ信号を受信することとなる。
【００２６】
制御部１２は、ＰＷＭ信号に従って、光源部を制御する制御部である。例えば、制御部１２は、ＰＷＭ信号のデューティー比の変化に基づいて、照明する光の照度や色彩、照明する範囲等を特定し、特定した照度や色彩で照明を行うよう光源部１３を制御する。
【００２７】
光源部１３は、照明機器１０−１が有する光源であり、制御部１２の制御に従って、照度、照明する範囲、色彩等を制御可能なＬＥＤ等の半導体発光素子により実現される。伝達部１４は、受信部１１が受信したＰＷＭ信号を後段の照明機器１０へと伝達する伝達部であり、例えば、ＰＷＭ信号を伝達する信号ケーブルを接続する、コネクタである。
【００２８】
次に、照明機器２０が有する機能構成の一例について説明する。照明機器２０は、受信部２１、変換部２２、出力部２３、制御部２４、光源部２５を有する。受信部２１は、照明制御装置３０からＤＭＸ規格に沿った制御信号を受信する受信部であり、例えば、制御信号を伝達する信号ケーブルを接続するコネクタである。受信部２１は、照明制御装置３０から制御信号を受信すると、受信した制御信号を変換部２２に出力する。
【００２９】
変換部２２は、ＤＭＸ規格に沿った制御信号をＰＷＭ信号に変換する変換装置であり、例えば、回路基板等によって実現される。なお、変換部２２は、ＣＰＵ（Central  Processing  Unit）とＲＡＭ（Random  Access  Memory）、ＥＥＰＲＯＭ、フラッシュメモリなどを有するコンピュータが、所定の記録媒体に登録されたプログラムを読み取り、読み取った制御プログラムを実行することにより、実現されてもよい。
【００３０】
例えば、変換部２２は、制御信号を受信すると、受信した制御信号が示す制御アドレスが、照明機器２０に設定された制御アドレスであるか否かを判定する。そして、変換部２２は、制御信号が示す制御アドレスが、照明機器２０に設定された制御アドレスである場合は、制御信号が示す制御内容を特定し、特定した制御内容を示すＰＷＭ信号を生成する。例えば、変換部２２は、デューティー比の変化に基づいて、照明する光の照度や色彩、照明する範囲を示すＰＷＭ信号を生成する。そして、変換部２２は、生成したＰＷＭ信号を出力部２３および制御部２４に出力する。
【００３１】
出力部２３は、変換部２２が生成したＰＷＭ信号を照明機器１０−１に出力する出力部であり、例えば、ＰＷＭ信号を伝達する信号ケーブルを接続するコネクタである。
【００３２】
制御部２４は、照明制御装置３０が出力した制御信号に従って、光源部２５を制御する。より具体的には、制御部２４は、変換部２２が出力したＰＷＭ信号に従って、光源部２５が照明する光の照度や色彩、照明する範囲等を制御する。なお、制御部２４は、変換部２２が生成したＰＷＭ信号に従って、光源部２５の制御を行う場合は、照明機器１０が有する制御部１２と同様のロジックで、光源部２５を制御すればよい。また、制御部２４は、受信部２１からＤＭＸ規格に沿った制御信号を受信し、受信した制御信号に従って、光源部２５を制御してもよい。
【００３３】
光源部２５は、照明機器２０が有する光源であり、光源部１３と同様に、制御部２４の制御に従って、照度、照明する範囲、色彩等を制御可能なＬＥＤ等の半導体発光素子により実現される。
【００３４】
上述したように、照明制御システム１は、照明制御装置３０と、照明機器２０と、照明機器２０から直列に接続された複数の照明機器１０−１〜１０−ｎを有する。照明機器２０は、照明制御装置３０から制御信号を受信すると、受信した制御信号に従って照明を行うとともに、制御信号をＰＷＭ信号に変換して照明機器１０−１に出力する。このような場合、照明機器１０−１〜１０−ｎは、ＰＷＭ信号を後段の照明機器１０へと伝達するとともに、受信したＰＷＭ信号に従って、照明を制御する。
【００３５】
ここで、ＰＷＭ信号は、パルス幅を変更することで情報を送信する信号である。このため、照明機器２０がＰＷＭ信号を伝達可能な台数は、ＰＷＭ信号の電流容量に応じて異なる。例えば、照明機器２０は、器具の消費電力が一台あたり４ｍＡである場合には、最大で５０台の照明機器１０にＰＷＭ信号を伝達可能である。この結果、照明制御システム１は、ＰＷＭ信号に対応した照明制御装置や照明機器等を準備したり、信号を増幅する装置を設置せずとも、３２台以上の照明機器１０を、ＤＭＸ信号で制御することができる。また、照明制御システム１は、信号を増幅する装置を設置せずともよいので、照明機器２０と照明制御装置３０との双方向通信を実現することができる。
【００３６】
なお、ＰＷＭ信号を用いて制御内容を送信する場合は、各照明機器１０−１〜１０−ｎごとに照明を制御することができない。このため、照明機器２０から直列に接続された各照明機器１０−１〜１０−ｎは、同一の照明制御を行うこととなる。例えば、照明機器２０は、赤色の光を出力する旨の制御信号を受信した場合は、赤色の光で照明を行うとともに、赤色の光を出力する旨を示すＰＷＭ信号を出力する。この結果、各照明機器１０−１〜１０−ｎは、照明機器２０と同様に、赤色の光で照明を行う。
【００３７】
（電源について）
なお、図２に示す例では、記載を省略したが、照明機器１０および照明機器２０は、照明演出を行うための電力を、順次伝達することができる。例えば、照明機器２０は、図示を省略した電源装置から電力が給電されると、給電された電力の一部を用いて照明を行うとともに、他の電力を照明機器１０−１に出力する。一方、照明機器１０−１は、照明機器２０と同様に、照明機器２０から給電された電力の一部を用いて照明を行い、他の電力を後段の照明機器１０―２に出力する。このような構成の結果、照明制御システム１は、照明機器２０および照明機器１０の設置作業や配線作業をより容易にすることができる。
【００３８】
（照明機器２０の例）
次に、図３を用いて、照明機器２０の外形の一例について説明する。図３は、制御信号をＰＷＭ信号に変換して出力する照明機器の外形の一例を説明する図である。図３に示す例では、照明機器２０は、所定の範囲を一様に照明するホリゾントライトであり、各種コネクタが設置された筐体部２６−１と、照明を行う照明部（第１照明部）２６−２とが金具で連結されており、照明部２６−２が、長尺方向を軸とする方向に回転可能な態様で設置されている。照明部２６−２には、光源部２５が配置されており、ＤＭＸ規格に沿った制御信号に従って、光源部２５により照明が行われる。
【００３９】
また、筐体部２６−１には、図３の左側から、電源装置から電力の給電を受付けるため給電ケーブルが接続されるコネクタである給電コネクタ２７、ＤＭＸ規格に沿った制御信号を入力するコネクタである受信部２１、ＰＷＭ信号を出力するコネクタである出力部２３、照明機器１０に電力を出力するためのコンセント２８が配置される。
【００４０】
（照明機器１０の例）
次に、図４を用いて、照明機器１０の外形の一例について説明する。図４は、ＰＷＭ信号に従って照明を制御する照明機器の外形の一例を説明する図である。図４に示す例では、照明機器１０は、照明機器２０と同様に、所定の範囲を一様に照明するホリゾントライトであり、各種コネクタが設置された筐体部１５−１と、照明を行う照明部（第２照明部）１５−２とが金具で連結されており、照明部１５−２が、長尺方向を軸とする方向に回転可能な態様で設置されている。照明部１５−２には、光源部１３が配置されており、ＰＷＭ信号に従って、光源部１３により照明が行われる。
【００４１】
また、筐体部１５−１には、図４の左側から、照明機器２０や前段の照明機器１０から電力の給電を受付けるためのプラグが接続される給電コネクタ１６、ＰＷＭ信号を受付けるためのケーブルを接続するコネクタである受信部１１、ＰＷＭ信号を後段の照明機器１０に出力するコネクタである伝達部１４、後段の照明機器１０に電力を出力するためのコンセント１７が配置される。
【００４２】
このような構成を有する場合、例えば、照明機器２０の受信部２１は、照明制御装置３０と通信ケーブルで接続され、照明機器２０の出力部２３は、照明機器１０の受信部１１と接続される。また、照明機器２０の給電コネクタ２７は、電源装置と接続され、照明機器２０のコンセント２８は、照明機器１０の給電コネクタ１６と接続される。なお、照明機器１０の伝達部１４は、後段の照明機器１０が有する受信部１１と接続され、照明機器１０のコンセント１７は、後段の照明機器１０が有する給電コネクタ１６と接続される。
【００４３】
（照明機器２０が実行する処理の流れ）
図５は、実施形態に係る照明制御システムにおいて、制御信号をＰＷＭ信号に変換する照明機器が実行する処理の一例を示すフローチャートである。例えば、照明機器２０は、照明制御装置３０から、ＤＭＸ規格の制御信号を受信する（ステップＳ１０１）。かかる場合、照明機器２０は、受信した制御信号をＰＷＭ信号に変換し（ステップＳ１０２）、ＰＷＭ信号を照明機器１０に出力するとともに（ステップＳ１０３）、制御信号に従って照明を制御し（ステップＳ１０４）、処理を終了する。
【００４４】
（照明機器１０の数について）
上述した例では、照明機器２０には、複数の照明機器１０が直列に接続された。ここで、照明機器１０を直列に接続可能な数は、ＰＷＭ信号の電流容量に応じて異なる。このため、照明機器２０は、照明機器１０の台数に応じてＰＷＭ信号の電流容量を変化させることで、任意の台数の照明機器１０を接続可能である。例えば、照明機器２０は、２００ｍＡ以上の電流容量を有するＰＷＭ信号を出力することで、５０台以上の照明機器１０を直列もしくはデイジーチェーンさせることができる。また、照明機器２０は、直列に接続する照明機器の数が少ない場合は、出力するＰＷＭ信号の電流容量を削減することで、無駄な電力消費を防ぐことができる。
【００４５】
なお、係る電流容量の変更は、照明機器１０や照明機器２０を設置する利用者の設定に応じて変更してもよい。また、照明機器２０は、任意の手法を用いて、自装置から直列に接続された照明機器１０の台数を特定し、特定した台数に応じて、出力するＰＷＭ信号の電流容量を変更してもよい。
【００４６】
（ＰＷＭ信号について）
ここで、照明機器２０は、ＰＷＭ信号を用いて照明する光の照度、色彩、照明する範囲等の制御内容を伝達するのであれば、任意のプロトコルで制御内容を送信して良い。例えば、照明機器２０は、ＰＷＭ信号のパルス幅に基づいて、照度を変更してもよい。
【００４７】
また、照明機器２０は、ＤＭＸ規格に沿った制御信号を、ＰＷＭ信号以外にも、ＤＡＬＩ（登録商標）やＴ／ＦＬＥＣＳ（登録商標）等で用いられる制御信号に変換してもよい。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４９】
１  照明制御システム
１０−１〜１０−ｎ  照明機器（第２照明機器）
１１、２１  受信部
１２、２４  制御部
１３、２５  光源部
１４  伝達部
１５−１、２６−１  筐体部
１５−２  照明部（第２照明部）
１６、２７  給電コネクタ
１７、２８  コンセント
２０  照明機器（第１照明機器）
２２  変換部
２３  出力部
２６−２  照明部（第１照明部）
【図１】
2016181454.tif 000003
【図２】
2016181454.tif 000004
【図３】
2016181454.tif 000005
【図４】
2016181454.tif 000006
【図５】
2016181454.tif 000007